(57)【特許請求の範囲】
【請求項１】
電力供給幹線から電力需要家内の家屋内配電線を開動作で遮断可能なメインブレーカと、
前記家屋内配電線が分岐された複数の分岐回路毎に設けられ、前記分岐回路を開動作で遮断可能な複数の分岐ブレーカと、
前記分岐回路のそれぞれに取り付けられた複数の測定用コンデンサと、
前記家屋内配電線の少なくとも１つに基準コンデンサを介してパルス電圧を印加するパルス発生装置と、
前記メインブレーカを開動作させ、かつ前記複数の分岐ブレーカの全てを開動作させた状態において、前記分岐ブレーカを１つずつ閉動作させ、当該分岐ブレーカに対応する分岐回路にパルス電圧を印加した場合の前記家屋内配電線間で測定した測定電圧に基づいて、当該分岐回路の健全性を判断する制御装置と、
を備える、電力配電線健全性確認装置。
【請求項２】
健全である前記分岐回路のみに電力供給幹線からの電力を投入する、請求項１に記載の電力配電線健全性確認装置。
【請求項３】
電力供給幹線から電力需要家内の家屋内配電線を開動作で遮断可能なメインブレーカと、前記家屋内配電線が分岐された複数の分岐回路毎に設けられ、前記分岐回路を開動作で遮断可能な複数の分岐ブレーカと、を全て遮断する遮断ステップと、
複数の前記分岐回路のうち、１つの分岐回路を対象として対応する分岐ブレーカを閉動作し、当該分岐回路にある測定用コンデンサに対して、前記家屋内配電線の少なくとも１つに基準コンデンサを介してパルス電圧を印加するパルス電圧印加ステップと、
前記家屋内配電線間で測定電圧を測定し、分岐回路の健全性を判断する健全性判断ステップと、
を含む、電力配電線健全性確認方法。
【請求項４】
健全である前記分岐回路のみに電力供給幹線からの電力を投入する電力供給再開ステップをさらに含む、請求項３に記載の電力配電線健全性確認方法。
【発明の詳細な説明】
【技術分野】
【０００１】
本発明は、電力需要家内にある家屋内配電線の健全性を確認後、通電するための電力配電線健全性確認装置及び電力配電線健全性確認方法に関する。
【背景技術】
【０００２】
最近災害発生の停電対策として、一般家庭、工場、商店などの電力需要家内（以下、屋内という。）にある家屋内配電線に蓄電池を設置して、災害時に停電しても、蓄電池を電源として家屋内配電線への電力を確保する配電システムがある。
【０００３】
特許文献１には、屋内漏電時に、分岐ブレーカにより分岐されている分岐回路単位での漏電回路を除去するようにした漏電検出除去方法の技術が記載されている。
【先行技術文献】
【特許文献】
【０００４】
【特許文献１】特開平１０−７５５２５号公報
【発明の概要】
【発明が解決しようとする課題】
【０００５】
しかしながら、特許文献１の技術では、複数の分岐回路のうち漏電回路は除去できるものの、断線回路は除去できない。このため、地震等の災害で屋内配線の損傷が想定される場合は、複数の分岐回路の全てについて家屋内配電線の健全性を絶縁抵抗計（メガー）等で確認してから通電することで、漏電又は断線により火災が発生する可能性を低減する必要がある。
【０００６】
本発明は、上記に鑑みてなされたものであって、漏電又は断線によって予め健全性に疑義のある分岐回路を除去した上で、家屋内配電線へ電力を供給できる電力配電線健全性確認装置及び電力配電線健全性確認方法を提供する。
【課題を解決するための手段】
【０００７】
上述した課題を解決し、目的を達成するために、本発明の電力配電線健全性確認装置は、電力供給幹線から電力需要家内の家屋内配電線を開動作で遮断可能なメインブレーカと、前記家屋内配電線が分岐された複数の分岐回路毎に設けられ、前記分岐回路を開動作で遮断可能な複数の分岐ブレーカと、前記分岐回路のそれぞれに取り付けられた複数の測定用コンデンサと、前記家屋内配電線の少なくとも１つに基準コンデンサを介してパルス電圧を印加するパルス発生装置と、前記メインブレーカを開動作させ、かつ前記複数の分岐ブレーカの全てを開動作させた状態において、前記分岐ブレーカを１つずつ閉動作させ、当該分岐ブレーカに対応する分岐回路にパルス電圧を印加した場合の前記家屋内配電線間で測定した測定電圧に基づいて、当該分岐回路の健全性を判断する制御装置と、を備える。
【０００８】
これにより、各分岐回路には、パルス電圧が印加されるが、１００Ｖ以上の実電圧が供給されないので、短絡又は断線による、火災等の二次災害の可能性が抑制される。
【０００９】
本発明の望ましい態様として、健全である前記分岐回路のみに電力供給幹線からの電力を投入することが好ましい。
【００１０】
これにより、漏電又は断線によって予め健全性に疑義のある分岐回路を除去した上で、家屋内配電線へ電力を供給できる。また、健全性が確かめられた分岐回路は使用することができる。そして、漏電又は断線による火災等は、抑制される。また、家屋内配電線へ蓄電池からの電力供給を安全に行うことができる。また、地震等の災害でだけでなく、通常時においても、漏電又は断線の発生を確認することができる。
【００１１】
上述した課題を解決し、目的を達成するために、本発明の電力配電線健全性確認方法は、電力供給幹線から電力需要家内の家屋内配電線を開動作で遮断可能なメインブレーカと、前記家屋内配電線が分岐された複数の分岐回路毎に設けられ、前記分岐回路を開動作で遮断可能な複数の分岐ブレーカと、を全て遮断する遮断ステップと、複数の前記分岐回路のうち、１つの分岐回路を対象として対応する分岐ブレーカを閉動作し、当該分岐回路にある測定用コンデンサに対して、前記家屋内配電線の少なくとも１つに基準コンデンサを介してパルス電圧を印加するパルス電圧印加ステップと、前記家屋内配電線間で測定電圧を測定し、分岐回路の健全性を判断する健全性判断ステップと、を含む。
【００１２】
これにより、各分岐回路には、パルス電圧が印加されるが、１００Ｖ以上の実電圧が供給されないので、短絡又は断線による、火災等の二次災害の可能性が抑制される。
【００１３】
本発明の望ましい態様として、健全である前記分岐回路のみに電力供給幹線からの電力を投入する電力供給再開ステップをさらに含む。
【００１４】
これにより、漏電又は断線によって予め健全性に疑義のある分岐回路を除去した上で、家屋内配電線へ電力を供給できる。また、健全性が確かめられた分岐回路は使用することができる。そして、漏電又は断線による火災等は、抑制される。また、家屋内配電線へ蓄電池からの電力供給を安全に行うことができる。また、地震等の災害でだけでなく、通常時においても、漏電又は断線の発生を確認することができる。
【発明の効果】
【００１５】
本発明によれば、漏電又は断線によって予め健全性に疑義のある分岐回路を除去した上で、家屋内配電線へ電力を供給できる電力配電線健全性確認装置及び電力配電線健全性確認方法を提供することができる。
【図面の簡単な説明】
【００１６】
【図１】図１は、家屋内配電線及び電力配電線健全性確認装置を示す図である。
【図２】図２は、漏電状態を示す模式図である。
【図３】図３は、断線状態を示す模式図である。
【図４】図４は、電力配電線健全性確認方法を説明するためのフローチャートである。
【発明を実施するための形態】
【００１７】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１８】
図１は、家屋内配電線及び電力配電線健全性確認装置を示す図である。図１に示す電力配電線健全性確認装置１は、低電圧単相３線式の家屋内配電線Ｕ、Ｎ、Ｖから分岐される分岐回路ＣＰ（１）からＣＰ（ｎ）の健全性を確認することができる。ここで、低電圧とは、１００Ｖから２５０Ｖ程度の電圧をいう。電力配電線健全性確認装置１は、漏電遮断器ＥＬＢと、ｎ個の配線用遮断器ＭＣＢ（１）からＭＣＢ（ｎ）と、制御装置ＣＯＮと、パルス発生装置ＧＥＮと、を備えている。電力配電線健全性確認装置１は、さらに非常用電源ＵＰＳを備えていることで、より確実に動作することができる。
【００１９】
漏電遮断器ＥＬＢは、電力供給幹線と屋内の分岐回路ＣＰ（１）からＣＰ（ｎ）との間に設けられたメインブレーカである。電力供給幹線は、屋外からの送電電力及び蓄電池の電力の少なくとも１つである。漏電遮断器ＥＬＢは、零相変成器を含む漏電電流検出器を内蔵する。漏電電流検出器は、屋内回路全体に生じる零相電流を計測して漏電を検出した場合、電力供給幹線から家屋内配電線Ｕ、Ｎ、Ｖへの電力供給を遮断する。漏電遮断器ＥＬＢは、振動センサーを備える地震検出器を内蔵し、地震検出器が地震を検知した場合、電力供給幹線から家屋内配電線Ｕ、Ｎ、Ｖへの電力供給を遮断してもよい。
【００２０】
配線用遮断器ＭＣＢ（１）からＭＣＢ（ｎ）は、家屋内配電線Ｕ、Ｎ、Ｖの電流容量を分岐回路ＣＰ（１）からＣＰ（ｎ）に分割するための分岐ブレーカである。分岐回路ＣＰ（１）からＣＰ（ｎ）は、配線用遮断器ＭＣＢ（１）からＭＣＢ（ｎ）により分岐された分岐回路で、各種電気機器が負荷として接続される。分岐回路ＣＰ（１）からＣＰ（ｎ）は、例えば１系統の電流容量が１５Ａ程度毎に設けられる。配線用遮断器ＭＣＢ（１）からＭＣＢ（ｎ）は、分岐回路ＣＰ（１）からＣＰ（ｎ）に接続される負荷、若しくは漏電又は短絡などの要因で分岐回路ＣＰ（１）からＣＰ（ｎ）に異常な過電流が流れたときに、家屋内配電線Ｕ、Ｎ、Ｖからの電力供給を遮断する。
【００２１】
制御装置ＣＯＮは、ＣＰＵ（：Central  Processing  Unit）、ＲＯＭ（：Read  Only  Memory）、ＲＡＭ（：Random  Access  Memory）等を含む演算部１２と、ＲＡＭ、フラッシュメモリ、ハードディスクドライブ等の記憶部１３と、電圧計測部１１とを備える。制御装置ＣＯＮは、インターフェースを介して制御信号を送信し、漏電遮断器ＥＬＢ及び配線用遮断器ＭＣＢ（１）からＭＣＢ（ｎ）の動作を制御し、漏電遮断器ＥＬＢ及び配線用遮断器ＭＣＢ（１）からＭＣＢ（ｎ）の閉動作（ＯＮ又は電力の投入）又は電力の開放を制御する。また、電圧計測部１１は、例えば、家屋内配電線Ｎ、Ｖ間の測定電圧Ｖｆを常に計測する。また、制御装置ＣＯＮは、パルス発生装置ＧＥＮの動作も制御することができる。
【００２２】
パルス発生装置ＧＥＮは、制御装置ＣＯＮの制御に応じて、所定の基準電圧Ｖ０かつ所定の周波数のパルス波形を生成し、家屋内配電線Ｖへ供給する。パルス発生装置ＧＥＮと、家屋内配電線Ｖとの間には、基準コンデンサＣ１が接続されている。基準コンデンサＣ１の一端は、パルス発生装置ＧＥＮと接続されており、基準コンデンサＣ１の他端は家屋内配電線Ｖに接続されている。所定の周波数とは、例えば９０ｋＨｚ以上１１０ｋＨｚ以下の約１００ｋＨｚである。基準電圧Ｖ０とは、３０Ｖ以上４０Ｖ以下である。
【００２３】
非常用電源ＵＰＳは、電力供給幹線が停電の場合でも、制御装置ＣＯＮ及びパルス発生装置ＧＥＮに電力を供給できる蓄電池等の電源である。
【００２４】
本実施形態では、各分岐回路ＣＰ（１）からＣＰ（ｎ）のそれぞれに、測定用コンデンサＣ２１〜Ｃ２ｎが接続されている。測定用コンデンサＣ２１〜Ｃ２ｎはそれぞれ同じ容量であるので下記式（１）の関係を有している。
【００２５】
【数１】
0005878186.tif 000002
【００２６】
各測定用コンデンサＣ２１〜Ｃ２ｎは、配線用遮断器ＭＣＢ（１）からＭＣＢ（ｎ）が電力の閉動作（ＯＮ又は電力の投入）状態の場合、一端が家屋内配電線Ｎに接続され、他端が家屋内配電線Ｖに接続される。
【００２７】
上述したように、電圧計測部１１は、例えば、家屋内配電線Ｎ、Ｖ間の測定電圧Ｖｆを計測するので、配線用遮断器ＭＣＢ（１）からＭＣＢ（ｎ）のうちの１つが閉動作（ＯＮ又は電力の投入）状態の場合、下記式（２）を満たすことになる。ここで、測定電圧Ｖｆとほぼ同じ電圧であるとは、測定電圧Ｖｆに対して８０％以上１００％以下の状態をいう。
【００２８】
【数２】
0005878186.tif 000003
【００２９】
図２は、漏電状態を示す模式図である。図３は、断線状態を示す模式図である。地震等の災害の場合、一時的に電力供給幹線の電力供給が遮断されることがある。電力供給幹線に蓄電池から電力を給電し、災害時に蓄電池を電源とすることも考えられるが、地震等の災害で屋内配線の損傷により、図２に示す短絡ＳＧ又は図３に示す断線ＢＫＷが想定される場合、分岐回路ＣＰ（１）からＣＰ（ｎ）のいずれかの分岐回路（例えば、ＣＰ（２））の発火の可能性を抑制する必要がある。
【００３０】
電力配電線健全性確認装置１は、電力供給幹線の電力供給が回復し、図４に示すように屋内の電力配電線健全性を確認する電力配電線健全性確認方法を実行する。図４は、電力配電線健全性確認方法を説明するためのフローチャートである。図１に示す漏電遮断器ＥＬＢ及び配線用遮断器ＭＣＢ（１）からＭＣＢ（ｎ）は、通常状態において、電力供給幹線の電力が投入され供給された状態である。制御装置ＣＯＮは、電力供給幹線の電力供給がない状態では、漏電遮断器ＥＬＢ及び配線用遮断器ＭＣＢ（１）からＭＣＢ（ｎ）の動作をブレーカー開放（ＯＦＦ）とする（ステップＳ１）。
【００３１】
まず、制御装置ＣＯＮは、配線用遮断器ＭＣＢ（１）からＭＣＢ（ｎ）のうち、健全性の確認対象ｍを１とする（ステップＳ２）。これにより、配線用遮断器ＭＣＢ（１）が動作（ＯＮ）し（ステップＳ３）、家屋内配電線Ｕ、Ｎ、Ｖのうち家屋内配電線Ｎ、Ｖが分岐回路ＣＰ（１）と電気的に接続する。
【００３２】
次に制御装置ＣＯＮは、パルス発生装置ＧＥＮを制御し、例えば所定の周波数及び基準電圧Ｖ０の三角波のパルス電圧を分岐回路ＣＰ（１）に印加する（ステップＳ４）。制御装置ＣＯＮは、電圧計測部１１が測定電圧Ｖｆを計測し、計測した測定電圧Ｖｆが上述した式（２）を満たす場合（ステップＳ５、Ｙｅｓ）、配線用遮断器ＭＣＢ（１）を健全ＯＫとして記憶部１３に記憶する。制御装置ＣＯＮは、電圧計測部１１が測定電圧Ｖｆを計測し、計測した測定電圧Ｖｆが上述した式（２）を満たさない場合（ステップ５、Ｎｏ）、配線用遮断器ＭＣＢ（１）を異常ＮＧとして記憶部１３に記憶する。本実施形態では、図２又は図３に示す状態であれば、配線用遮断器ＭＣＢ（１）を正常ＯＫとして記憶部１３に記憶する。
【００３３】
次に制御装置ＣＯＮは、ｍの値を１つ増加して２とし（ステップＳ８）、下記式（３）又は下記式（４）を満たし下記式（５）を満たさない場合（ステップＳ９、Ｎｏ）、次の分岐回路ＣＰ（２）があるので、配線用遮断器ＭＣＢ（１）を開放（ＯＦＦ）した上で、ステップＳ３へ処理を戻す。これにより、配線用遮断器ＭＣＢ（２）が閉動作（ＯＮ）し（ステップＳ３）、家屋内配電線Ｕ、Ｎ、Ｖのうち家屋内配電線Ｎ、Ｖが分岐回路ＣＰ（２）と電気的に接続する。
【００３４】
ｍ＜ｎ  ・・・（３）
【００３５】
ｍ＝ｎ  ・・・（４）
【００３６】
ｍ＞ｎ  ・・・（５）
【００３７】
次に制御装置ＣＯＮは、パルス発生装置ＧＥＮを制御し、例えば所定の周波数及び基準電圧Ｖ０の三角波のパルス電圧を分岐回路ＣＰ（２）に印加する（ステップＳ４）。
【００３８】
本実施形態では、図２に示すように分岐回路ＣＰ（２）において、短絡ＳＧのような短絡箇所（地絡箇所）がある場合、コンデンサＣ２２とアースとの間では０Ｖに近くなり、電圧計測部１１が計測した測定電圧ＶｆがＶ０に近くなる。これにより、計測した測定電圧Ｖｆが上述した式（２）を満たさない。この場合、コンデンサＣ２２には、パルス電圧が印加されるが、１００Ｖ以上の実電圧が供給されないので、電力配電線健全性確認方法による、二次災害の可能性が抑制される。
【００３９】
本実施形態において、図３に示すように分岐回路ＣＰ（２）に断線ＢＫＷのような断線箇所（高抵抗箇所）がある場合、コンデンサＣ２２とアースとの間では０Ｖに近くなり、電圧計測部１１が計測した測定電圧Ｖｆが０Ｖに近くなる。これにより、計測した測定電圧Ｖｆが上述した式（２）を満たさない。この場合、断線ＢＫＷには、パルス電圧が印加されるが、１００Ｖ以上の実電圧が供給されないので、電力配電線健全性確認方法による、二次災害の可能性が抑制される。
【００４０】
制御装置ＣＯＮは、電圧計測部１１が測定電圧Ｖｆを計測し、計測した測定電圧Ｖｆが上述した式（２）を満たさない場合（ステップＳ５、Ｎｏ）、配線用遮断器ＭＣＢ（２）を異常ＮＧとして記憶部１３に記憶する。本実施形態では、図２又は図３に示す状態であれば、配線用遮断器ＭＣＢ（２）を異常ＮＧとして記憶部１３に記憶する。
【００４１】
次に制御装置ＣＯＮは、ｍの値を１つ増加して３とし（ステップＳ８）、上記式（３）又は上記式（４）を満たし上記式（５）を満たさない場合（ステップＳ９、Ｎｏ）、次の分岐回路ＣＰ（３）があることになり、配線用遮断器ＭＣＢ（２）を開放（ＯＦＦ）した上で、ステップＳ３へ処理を戻す。これにより、次の配線用遮断器ＭＣＢ（ｍ）が閉動作（ＯＮ）し（ステップＳ３）、家屋内配電線Ｕ、Ｎ、Ｖのうち家屋内配電線Ｎ、Ｖが分岐回路ＣＰ（ｍ）と電気的に接続する。
【００４２】
電力配電線健全性確認装置１は、上記式（５）を満たさない場合（ステップＳ９、Ｎｏ）、制御装置ＣＯＮがステップＳ３からステップＳ８の処理を繰り返す。
【００４３】
制御装置ＣＯＮは、ｍの値を１つ増加して（ステップＳ８）、上記式（５）を満たす場合（ステップＳ９、Ｙｅｓ）、次の分岐回路ＣＰ（ｍ）がないので、配線用遮断器ＭＣＢ（ｍ−１）を開放（ＯＦＦ）した上で、ステップＳ１０へ処理を進める。
【００４４】
制御装置ＣＯＮは、記憶部１３から健全ＯＫの配線用遮断器ＭＣＢ（ｍ）の情報を読み出し、健全ＯＫの配線用遮断器ＭＣＢ（ｍ）を全て閉動作（ＯＮ）にする（ステップＳ１０）。これにより、異常ＮＧと判断された配線用遮断器ＭＣＢ（ｍ）を全て開放（ＯＦＦ）の状態のままとする。
【００４５】
制御装置ＣＯＮは、漏電遮断器ＥＬＢを動作させ（ステップＳ１１）、電力供給幹線からの電力を家屋内配電線Ｕ、Ｎ、Ｖへ供給する。これにより、供給された電力は、健全ＯＫの配線用遮断器ＭＣＢ（ｍ）を介して、健全ＯＫと判断された分岐回路ＣＰ（ｍ）にのみ分岐供給される。
【００４６】
本実施形態では、電力供給幹線が単相３線式であるが、単相２線式又は三相３線式の回路であっても本実施形態を適用することができる。
【００４７】
以上説明したように、本実施形態に係る電力配電線健全性確認装置１は、メインブレーカである漏電遮断器ＥＬＢと、分岐ブレーカであるｎ個の配線用遮断器ＭＣＢ（１）からＭＣＢ（ｎ）と、測定用コンデンサＣ２１からＣ２ｎと、制御装置ＣＯＮと、パルス発生装置ＧＥＮと、を備えている。漏電遮断器ＥＬＢは、電力供給幹線から電力需要家内の家屋内配電線Ｕ、Ｎ、Ｖを開（ＯＦＦ）動作で遮断することができる。配線用遮断器ＭＣＢ（１）からＭＣＢ（ｎ）は、家屋内配電線Ｕ、Ｎ、Ｖが分岐された分岐回路ＣＰ（１）からＣＰ（ｎ）毎に設けられ、それぞれの分岐回路を開（ＯＦＦ）動作で遮断できる。測定用コンデンサＣ２１からＣ２ｎは、分岐回路ＣＰ（１）からＣＰ（ｎ）のそれぞれに取り付けられている。パルス発生装置ＧＥＮは、家屋内配電線Ｕ、Ｎ、Ｖの少なくとも１つに基準コンデンサＣ１を介してパルス電圧を印加する。そして制御装置ＣＯＮは、漏電遮断器ＥＬＢを開動作させ、かつ配線用遮断器ＭＣＢ（１）からＭＣＢ（ｎ）の全てを開動作させた状態において、配線用遮断器ＭＣＢ（１）からＭＣＢ（ｎ）のうち配線用遮断器ＭＣＢ（ｍ）を１つずつ閉動作させ、当該分岐ブレーカに対応する分岐回路にパルス電圧を印加した場合の前記家屋内配電線Ｎ、Ｖ間で測定した測定電圧Ｖｆに基づいて、当該分岐回路ＣＰ（ｍ）の健全性を判断する。これにより、分岐回路ＣＰ（ｍ）には、パルス電圧が印加されるが、１００Ｖ以上の実電圧が供給されないので、短絡ＳＧ又は断線ＢＫＷによる、二次災害の可能性が抑制される。
【００４８】
以上説明したように、本実施形態に係る電力配電線健全性確認方法は、電力供給幹線から家屋内配電線Ｕ、Ｎ、Ｖを開動作で遮断可能な漏電遮断器ＥＬＢと、家屋内配電線Ｕ、Ｎ、Ｖが分岐した分岐回路ＣＰ（１）からＣＰ（ｎ）のそれぞれに設けられ、それぞれの分岐回路を開（ＯＦＦ）動作で遮断できる配線用遮断器ＭＣＢ（１）からＭＣＢ（ｎ）と、を全て遮断する遮断ステップ（ステップＳ１）と、分岐回路ＣＰ（１）からＣＰ（ｎ）のうち１つの分岐回路ＣＰ（ｍ）を対象として対応する配線用遮断器ＭＣＢ（ｍ）を閉動作し、当該分岐回路ＣＰ（ｍ）にある測定用コンデンサＣ２に対して、家屋内配電線Ｕ、Ｎ、Ｖの少なくとも１つに基準コンデンサＣ１を介してパルス電圧を印加するパルス電圧印加ステップ（ステップＳ４）と、家屋内配電線Ｎ、Ｖ間で測定電圧Ｖｆを測定し、分岐回路ＣＰ（ｍ）の健全性を判断する健全性判断ステップ（ステップＳ５）と、を含む。これにより、分岐回路ＣＰ（ｍ）には、パルス電圧が印加されるが、１００Ｖ以上の実電圧が供給されないので、短絡ＳＧ又は断線ＢＫＷによる、二次災害の可能性が抑制される。
【００４９】
本実施形態に係る電力配電線健全性確認装置１及び電力配電線健全性確認方法は、健全である分岐回路ＣＰ（ｍ）のみに電力供給幹線からの電力を投入する。これにより、漏電又は断線によって予め健全性に疑義のある分岐回路を除去した上で、家屋内配電線Ｕ、Ｎ、Ｖへ電力を供給できる。このため、健全性が確かめられた分岐回路ＣＰ（ｍ）は使用することができる。そして、漏電又は断線による火災等は、抑制される。また、家屋内配電線Ｕ、Ｎ、Ｖへ蓄電池からの電力供給を安全に行うことができる。また、地震等の災害でだけでなく、通常時においても、漏電又は断線の発生を確認することができる。
【符号の説明】
【００５０】
１  電力配電線健全性確認装置
１１  電圧計測部
１２  演算部
１３  記憶部
ＢＫＷ  断線
Ｃ１  基準コンデンサ
Ｃ２（Ｃ２１〜Ｃ２ｎ）  測定用コンデンサ
ＣＯＮ  制御装置
ＣＰ（１）〜ＣＰ（ｎ）  分岐回路
ＥＬＢ  漏電遮断器
ＧＥＮ  パルス発生装置
ＭＣＢ（１）〜ＭＣＢ（ｎ）  配線用遮断器
Ｖ０  基準電圧
Ｖｆ  測定電圧
【図１】
0005878186.tif 000004
【図２】
0005878186.tif 000005
【図３】
0005878186.tif 000006
【図４】
0005878186.tif 000007